(57)【特許請求の範囲】
【請求項１】
振幅偏移変調及び直交位相偏移変調の変調方式で、高周波電力増幅器を介して送信信号を出力する無線通信の送信回路において、
受信した高周波信号の変調方式が前記振幅偏移変調と前記直交位相偏移変調のうちのいずれの変調方式であるかということに応じて前記高周波電力増幅器の増幅率が切り替えられ、
前記増幅率が切り換えられた前記高周波電力増幅器を介して、前記受信した高周波信号の変調方式に対応する変調方式によって前記送信信号が出力されることを特徴とする無線通信の送信回路。
【請求項２】
振幅偏移変調及び直交位相偏移変調の変調方式で、高周波電力増幅器を介して送信信号を出力する無線通信の送信回路において、
受信した高周波信号の変調方式が前記振幅偏移変調と前記直交位相偏移変調のうちのいずれの変調方式であるかということに応じて前記高周波電力増幅器の増幅率が切り替えられ、
前記増幅率が切り換えられた前記高周波電力増幅器を介して、前記受信した高周波信号の変調方式に対応する変調方式によって前記送信信号が出力され、
前記直交位相偏移変調の変調方式で前記送信信号が出力される場合の、前記高周波電力増幅器での前記送信信号の増幅率は、前記振幅偏移変調の変調方式で前記送信信号が出力される場合の、前記高周波電力増幅器での前記送信信号の増幅率よりも低いことを特徴とする無線通信の送信回路。
【請求項３】
請求項１又は２記載の無線通信の送信回路において、
前記高周波電力増幅器の入力側に接続された可変減衰器によって、前記増幅率が切り換えられることを特徴とする無線通信の送信回路。
【請求項４】
請求項１又は２記載の無線通信の送信回路において、
前記高周波電力増幅器の増幅率は、前記振幅偏移変調の変調方式で前記送信信号が出力される場合と前記直交位相偏移変調の変調方式で前記送信信号が出力される場合との間で、前記送信信号の出力レベルが一定となるように切り換えられることを特徴とする無線通信の送信回路。
【請求項５】
請求項１又は２記載の無線通信の送信回路において、
前記高周波電力増幅器での前記送信信号の前記増幅率は、電源電位と接地電位との間に接続された抵抗手段の抵抗値を切り換えることによって制御されることを特徴とする無線通信の送信回路。
【請求項６】
請求項５記載の無線通信の送信回路は、
前記電源電位と前記接地電位との間に接続され、前記抵抗手段の抵抗値を切り換えるスイッチ手段を有することを特徴とする無線通信の送信回路。
【請求項７】
請求項５又は６記載の無線通信の送信回路において、
前記高周波電力増幅器の前記抵抗手段は、前記電源電位と前記接地電位との間に直列に接続された第１及び第２の抵抗素子と、前記第１の抵抗素子と前記第２の抵抗素子との間のノードと前記接地電位との間に接続された第３の抵抗素子とを有しており、
前記振幅偏移変調の変調方式で前記送信信号が出力される場合には、前記第３の抵抗素子と前記ノードとの間で非導通状態が維持され、
前記直交位相偏移変調の変調方式で前記送信信号が出力される場合には、前記第３の抵抗素子と前記ノードとの間で導通状態が維持されることを特徴とする無線通信の送信回路。
【請求項８】
振幅偏移変調及び直交位相偏移変調の変調方式で、高周波電力増幅器を介して送信信号を出力する無線通信の送信方法において、
受信した高周波信号の変調方式が前記振幅偏移変調と前記直交位相偏移変調のうちのいずれの変調方式であるかということに応じて前記高周波電力増幅器の増幅率が切り替えられ、
前記増幅率が切り換えられた前記高周波電力増幅器を介して、前記受信した高周波信号の変調方式に対応する変調方式によって前記送信信号が出力されることを特徴とする無線通信の送信方法。
【請求項９】
振幅偏移変調及び直交位相偏移変調の変調方式で、高周波電力増幅器を介して送信信号を出力する無線通信の送信方法において、
受信した高周波信号の変調方式が前記振幅偏移変調と前記直交位相偏移変調のうちのいずれの変調方式であるかということに応じて前記高周波電力増幅器の増幅率が切り替えられ、
前記増幅率が切り換えられた前記高周波電力増幅器を介して、前記受信した高周波信号の変調方式に対応する変調方式によって前記送信信号が出力され、
前記直交位相偏移変調の変調方式で前記送信信号が出力される場合は、前記振幅偏移変調の変調方式で前記送信信号が出力される場合に比べて、前記高周波電力増幅器での前記送信信号の増幅率が低く設定されることを特徴とする無線通信の送信方法。
【請求項１０】
請求項８又は９記載の無線通信の送信方法において、
前記高周波電力増幅器の入力側に接続された可変減衰器によって、前記増幅率が切り替えられることを特徴とする無線通信の送信方法。
【請求項１１】
請求項８又は９記載の無線通信の送信方法において、
前記高周波電力増幅器の増幅率は、前記振幅偏移変調の変調方式で前記送信信号が出力される場合と前記直交位相偏移変調の変調方式で前記送信信号が出力される場合との間で、前記送信信号の出力レベルが一定となるように切り換えられることを特徴とする無線通信の送信方法。
【請求項１２】
請求項８又は９記載の無線通信の送信方法において、
前記高周波電力増幅器での前記送信信号の前記増幅率は、電源電位と接地電位との間に接続された抵抗手段の抵抗値を切り換えることによって制御されることを特徴とする無線通信の送信方法。
【請求項１３】
請求項１２記載の無線通信の送信方法において、
前記抵抗手段の抵抗値は、前記電源電位と前記接地電位との間に接続されたスイッチ手段によって切り換えられることを特徴とする無線通信の送信方法。
【請求項１４】
請求項１２又は１３記載の無線通信の送信方法において、
前記高周波電力増幅器の前記抵抗手段は、前記電源電位と前記接地電位との間に直列に接続された第１及び第２の抵抗素子と、前記第１の抵抗素子と前記第２の抵抗素子との間のノードと前記接地電位との間に接続された第３の抵抗素子とを有しており、
前記振幅偏移変調の変調方式で前記送信信号が出力される場合には、前記第３の抵抗素子と前記ノードとの間で非導通状態が維持され、
前記直交位相偏移変調の変調方式で前記送信信号が出力される場合には、前記第３の抵抗素子と前記ノードとの間で導通状態が維持されることを特徴とする無線通信の送信方法。
【発明の詳細な説明】
【技術分野】
【０００１】
本発明は、ＡＳＫ(Amplitude  Shift  Keying:振幅偏移）変調とＱＰＳＫ(Quadrature  Phase  Shift  Keying：直交位相偏移）変調等の変調方式を切り替えて送信する無線機における無線通信の送信回路及び無線通信の送信方法に関するものである。
【背景技術】
【０００２】
高度道路交通システム（ＩＴＳ：Intelligent  Transport  Systems)の狭域通信（ＤＳＲＣ：Dedicated  Short-Range   Communication)では、ＡＳＫ変調とＱＰＳＫ変調を１つの無線機に搭載する規格が規定されている。ＤＳＲＣ規格によるＡＳＫ変調のアプリケーション例としては、高速道路における自動料金収受（ＥＴＣ：Electronic  Toll  Collection）が既に実用化されており、ＱＰＳＫ変調のアプリケーション例としては、ドライブスルーやガソリンスタンドの料金決済システムが計画されている。また、変調方式は未定だが、交通情報の提供サービスなど、種々のアプリケーションが考えられている。
【０００３】
図２は、従来の無線機の構成図である。
この無線機は、ＩＴＳのＤＳＲＣ規格に対応し、ＡＳＫ変調とＱＰＳＫ変調を切り替えて使用できるもので、送受信兼用のアンテナ１１と、このアンテナ１１を送信または受信に切り替えるためのアンテナスイッチ（ＳＷ）１２を有している。アンテナスイッチ１２の受信側には、低雑音増幅器（ＬＮＡ）１３を介して周波数変換器（ＭＩＸ）１４が接続されている。周波数変換器１４は、ＰＬＬ(Phase  Locked  Loop）等で構成される局部発振器（ＬＯＳＣ）１５の発振信号によって、高周波信号を中間周波信号に変換するものである。なお、局部発振器１５の発振信号の周波数は、図示しないベースバンド部から与えられるチャネル設定信号ＣＨによって、所定の範囲内で設定できるようになっている。
【０００４】
周波数変換器１４の出力側には、所望の中間周波信号を取り出すための帯域通過フィルタ（ＢＰＦ）１６を介して、中間周波増幅器（ＩＦＡ）１７が接続されている。中間周波増幅器１７の出力側には、ＱＰＳＫ信号を復調するためのＰＳＫ復調器１８と、ＡＳＫ信号を復調するためのＡＳＫ復調器１９が接続されている。
【０００５】
ＡＳＫ復調器１９は、中間周波増幅器１７から出力される中間周波信号ＩＦの平均レベルＲＥＦを検出するための積分回路１９ａと、この中間周波信号ＩＦの瞬時値と平均レベルＲＥＦを比較してＡＳＫ受信データＲＤＡを出力する比較回路（ＣＭＰ）１９ｂで構成されている。ＰＳＫ復調器１８で復調されるＰＳＫ受信データＲＤＰと、ＡＳＫ復調器１９で復調されるＡＳＫ受信データＲＤＡは、図示しないベースバンド部へ与えられるようになっている。
【０００６】
一方、ベースバンド部から出力される送信データＳＤＩ，ＳＤＱは、変調器（ＭＯＤ）２０へ与えられるようになっている。変調器２０は、ＡＳＫとＱＰＳＫの２種類の変調が可能なもので、２つの送信データＳＤＩ，ＳＤＱを与えるとＱＰＳＫ変調された送信信号を出力し、一方の送信データ（例えば、ＳＤＱ）を固定するとＡＳＫ変調された送信信号を出力するように構成されている。
【０００７】
変調器２０には、チャネル設定信号ＣＨで設定された局部発振器１５の発振信号が、被変調波として与えられるようになっており、この変調器２０の出力側は、高周波電力増幅器（ＰＡ）２１を介して、アンテナスイッチ１２の送信側に接続されている。
【０００８】
次に動作を説明する。
ベースバンド部では、通信の目的に応じて送信データＳＤＩ，ＳＤＱを無線機に与える。例えば、ＥＴＣシステムに対する送信を行う場合、送信データＳＤＱを“０”に固定して、送信データＳＤＩによってパケット状のデータを出力する。これにより、変調器２０からＡＳＫ変調された送信信号が出力され、高周波電力増幅器２１で所定の倍率に増幅されてアンテナ１１から送信される。
【０００９】
また、ガソリンスタンド・システムに対する送信を行う場合、送信データＳＤＩ，ＳＤＱを使用してパケット状のデータを出力する。これにより、変調器２０からＱＰＳＫ変調された送信信号が出力され、高周波電力増幅器２１で所定の倍率に増幅されてアンテナ１１から送信される。
【００１０】
一方、アンテナ１１で受信された高周波信号は、低雑音増幅器１３で増幅された後、周波数変換器１４で中間周波信号に変換され、帯域通過フィルタ１６を通って中間周波増幅器１７で増幅されて、ＰＳＫ復調器１８とＡＳＫ復調器１９に与えられる。
【００１１】
ＰＳＫ復調器１８では、中間周波信号ＩＦが復調されてＰＳＫ受信データＲＤＰが出力される。ＡＳＫ復調器１９では、積分回路１９ａによって中間周波信号ＩＦの平均レベルが検出されて基準電圧ＲＥＦが生成され、比較回路１９ｂによってこの基準電圧ＲＥＦと中間周波信号ＩＦの瞬時値が比較され、ＡＳＫ受信データＲＤＡが出力される。
【００１２】
ベースバンド部では、無線機から出力されるＰＳＫ受信データＲＤＰとＡＳＫ受信データＲＤＡの内で、通信の目的に応じた受信データを選択して処理が行われる。
【００１３】
【特許文献１】特開２００３−２４４２６０号公報
【非特許文献１】ISSCC2002/SESSION5/WIRELESS  NETWORKING  TRANSCEIVERS/5.6“Single-Chip  5.8GHz  ETC  Transceiver  IC  with  PLL  and  Demodulation  Circuits  using  SiGe  HBT/CMOS"
【発明の開示】
【発明が解決しようとする課題】
【００１４】
前記無線機では、変調器２０をＡＳＫとＱＰＳＫの２種類の変調に共用している。ＡＳＫ変調では、送信データＳＤＩに従って搬送波の振幅を制御することによって送信信号が生成される。従って、変調器２０自体に増幅機能がないとすれば、ＡＳＫ変調された信号の平均レベルは、搬送波のレベルよりも小さくなる。一方、ＱＰＳＫ変調では、送信データＳＤＩ，ＳＤＱに従って搬送波の位相を制御することによって送信信号が生成される。従って、変調器２０でＱＰＳＫ変調された信号の平均レベルは、搬送波のレベルと同程度となる。
【００１５】
変調器２０の出力信号は、変調方式に拘らず高周波電力増幅器２１で所定の倍率に電力増幅されてアンテナ１１から送信される。このため、ＱＰＳＫ変調されたパケット信号の方が、ＡＳＫ変調されたパケット信号よりも平均電力が大きくなる。
【００１６】
このようなパケット信号を受信する受信側では、中間周波増幅器１７から出力される中間周波信号ＩＦの平均レベルが、ＱＰＳＫ変調されたパケット信号とＡＳＫ変調されたパケット信号とで異なる。即ち、中間周波信号ＩＦの平均レベルは、ＱＰＳＫ変調信号の時に高くなり、ＡＳＫ変調信号の時に低くなる。
【００１７】
このため、ＱＰＳＫ変調信号が入力されると、ＡＳＫ復調器１９の積分回路１９ａから出力される基準電圧ＲＥＦが理想的な値よりも高くなり、その直後にＡＳＫ変調信号が入力された場合に、このＡＳＫ変調信号を正しく復調できなくなるという問題があった。
【００１８】
本発明は、ＱＰＳＫやＡＳＫ等の変調方式に拘らず、送信側から常に一定レベルのパケット信号を出力することで、受信側での受信誤りを防止することを目的としている。
【課題を解決するための手段】
【００１９】
本発明のうちの第１の発明の無線通信の送信回路は、ＡＳＫ変調及びＱＰＳＫ変調の変調方式で、高周波電力増幅器を介して送信信号を出力する無線通信の送信回路において、受信した高周波信号の変調方式が前記ＡＳＫ変調と前記ＱＰＳＫ変調のうちのいずれの変調方式であるかということに応じて前記高周波電力増幅器の増幅率が切り替えられ、前記増幅率が切り換えられた前記高周波電力増幅器を介して、前記受信した高周波信号の変調方式に対応する変調方式によって前記送信信号が出力されることを特徴としている。
第２の発明の無線通信の送信回路は、ＡＳＫ変調及びＱＰＳＫ変調の変調方式で、高周波電力増幅器を介して送信信号を出力する無線通信の送信回路において、受信した高周波信号の変調方式が前記ＡＳＫ変調と前記ＱＰＳＫ変調のうちのいずれの変調方式であるかということに応じて前記高周波電力増幅器の増幅率が切り替えられ、前記増幅率が切り換えられた前記高周波電力増幅器を介して、前記受信した高周波信号の変調方式に対応する変調方式によって前記送信信号が出力され、前記ＱＰＳＫ変調の変調方式で前記送信信号が出力される場合の、前記高周波電力増幅器での前記送信信号の増幅率は、前記ＡＳＫ変調の変調方式で前記送信信号が出力される場合の、前記高周波電力増幅器での前記送信信号の増幅率よりも低いことを特徴としている。
第３の発明の無線通信の送信方法は、ＡＳＫ変調及びＱＰＳＫ変調の変調方式で、高周波電力増幅器を介して送信信号を出力する無線通信の送信方法において、受信した高周波信号の変調方式が前記ＡＳＫ変調と前記ＱＰＳＫ変調のうちのいずれの変調方式であるかということに応じて前記高周波電力増幅器の増幅率が切り替えられ、前記増幅率が切り換えられた前記高周波電力増幅器を介して、前記受信した高周波信号の変調方式に対応する変調方式によって前記送信信号が出力されることを特徴としている。
第４の発明の無線通信の送信方法は、ＡＳＫ変調及びＱＰＳＫ変調の変調方式で、高周波電力増幅器を介して送信信号を出力する無線通信の送信方法において、受信した高周波信号の変調方式が前記ＡＳＫ変調と前記ＱＰＳＫ変調のうちのいずれの変調方式であるかということに応じて前記高周波電力増幅器の増幅率が切り替えられ、前記増幅率が切り換えられた前記高周波電力増幅器を介して、前記受信した高周波信号の変調方式に対応する変調方式によって前記送信信号が出力され、前記ＱＰＳＫ変調の変調方式で前記送信信号が出力される場合は、前記ＡＳＫ変調の変調方式で前記送信信号が出力される場合に比べて、前記高周波電力増幅器での前記送信信号の増幅率が低く設定されることを特徴としている。
【発明の効果】
【００２０】
本発明の無線通信の送信回路及び無線通信の送信方法によれば、次の（１）〜（２）のような効果がある。
（１）  受信した高周波信号の変調方式がＡＳＫ変調とＱＰＳＫ変調のうちのいずれかの変調方式であるかということに応じて高周波電力増幅器の増幅率が切り換えられ、受信した高周波信号の変調方式に応じて送信信号を出力するので、相互に良好な無線通信を実現することができる。
（２） ＱＰＳＫ変調の変調方式で送信信号が出力される場合の、高周波電力増幅器での送信信号の増幅率は、ＡＳＫ変調の変調方式で送信信号が出力される場合の、高周波電力増幅器での送信信号の増幅率よりも低いので、送信回路の出力レベルを一定に保つことができる。
【発明を実施するための最良の形態】
【００２１】
送信回路の変調方式としては、少なくともＡＳＫ変調とＱＰＳＫ変調に対応させ、増幅度を切り替えることによって、変調方式の如何に拘らず出力レベルが一定となるように構成する。
【００２２】
この発明の前記並びにその他の目的と新規な特徴は、次の好ましい実施例の説明を添付図面と照らし合わせて読むと、より完全に明らかになるであろう。但し、図面は、もっぱら解説のためのものであって、この発明の範囲を限定するものではない。
【実施例１】
【００２３】
図１は、本発明の実施例を示す無線機の構成図であり、図２中の要素と共通の要素には共通の符号が付されている。
【００２４】
この無線機は、図２の無線機と同様に、ＩＴＳのＤＳＲＣ規格に対応したもので、ＡＳＫ変調とＱＰＳＫ変調を切り替えて使用できるものである。
【００２５】
この無線機は、送受信兼用のアンテナ１１と、このアンテナ１１を送信または受信に切り替えるためのアンテナスイッチ１２を有している。アンテナスイッチ１２の受信側には低雑音増幅器１３を介して周波数変換器１４が接続されている。周波数変換器１４は、ＰＬＬ等で構成される局部発振器１５の発振信号によって高周波信号を中間周波信号に変換するものである。なお、この局部発振器１５の発振信号の周波数は、図示しないベースバンド部から与えられるチャネル設定信号ＣＨによって、所定の範囲内で任意に設定できるようになっている。
【００２６】
周波数変換器１４の出力側には、所望の中間周波信号を取り出すための帯域通過フィルタ１６を介して中間周波増幅器１７が接続されている。中間周波増幅器１７の出力側には、ＱＰＳＫ信号を復調するためのＰＳＫ復調器１８と、ＡＳＫ信号を復調するためのＡＳＫ復調器１９が接続されている。
【００２７】
ＡＳＫ復調器１９は、中間周波増幅器１７から出力される中間周波信号ＩＦの平均レベルを検出するための積分回路１９ａと、この中間周波信号ＩＦの瞬時値と平均レベルを比較してＡＳＫ受信データＲＤＡを出力する比較回路１９ｂで構成されている。ＰＳＫ復調器１８で復調されるＰＳＫ受信データＲＤＰと、ＡＳＫ復調器１９で復調されるＡＳＫ受信データＲＤＡは、図示しないベースバンド部へ与えられるようになっている。
【００２８】
一方、ベースバンド部から出力される送信データＳＤＩ，ＳＤＱは、変調器２０へ与えられるようになっている。変調器２０は、ＡＳＫとＱＰＳＫの２種類の変調が可能なもので、２つの送信データＳＤＩ，ＳＤＱを与えるとＱＰＳＫ変調された送信信号Ｓ２０を出力し、一方の送信データ（例えば、ＳＤＱ）を固定するとＡＳＫ変調された送信信号Ｓ２０を出力するように構成されている。なお、変調器２０には、チャネル設定信号ＣＨで設定された局部発振器１５の発振信号が、被変調波として与えられるようになっており、この変調器２０の出力側が、切替手段である高周波電力増幅器３０を介してアンテナスイッチ１２の送信側に接続されている。
【００２９】
高周波電力増幅器３０は、送信信号Ｓ２０がＡＳＫ変調であるかＱＰＳＫ変調であるかを示す切替信号Ａ／Ｐによって増幅度を切り替えることができるものである。この高周波電力増幅器３０は、変調器２０の送信信号Ｓ２０がゲートに与えられて導通状態が制御されるトランジスタ３１と、このトランジスタ３１のドレインと電源電位ＶＤＤの間に接続された負荷インダクタ３２と、このトランジスタ３１のゲートにバイアス電圧を与えるため電源電位ＶＤＤと接地電位との間に直列接続された抵抗手段又は第１の抵抗素子である抵抗３３及び抵抗手段又は第２の抵抗素子である抵抗３４とを有している。
更に、高周波電力増幅器３０は、抵抗３３と抵抗３４との間のノードと接地電位との間に直列接続されたスイッチ手段であるスイッチ３５と、抵抗手段又は第３の抵抗素子である抵抗３６とを有している。スイッチ３５は、トランジスタ３１のゲートに印加するバイアス電圧を切替信号Ａ／Ｐに従って変化させる機能を有している。なお、２つのバイアス電圧は、ＡＳＫ変調信号を増幅した時の出力レベルとＱＰＳＫ変調信号を増幅した時の出力レベルがほぼ同じレベルになるように設定されている。また、切替信号Ａ／Ｐは、ベースバンド部から与えられるようになっている。
【００３０】
次に動作を説明する。
ベースバンド部では、通信の目的に応じて送信データＳＤＩ，ＳＤＱを無線機に与える。例えば、ＥＴＣシステムに対する送信を行う場合、切替信号Ａ／Ｐを例えばレベル“Ｈ”に設定する。そして、送信データＳＤＱを“０”に固定して、送信データＳＤＩによってパケット状のデータを出力する。これにより、変調器２０からＡＳＫ変調された送信信号Ｓ２０が出力され、高周波電力増幅器３０に与えられる。一方、高周波電力増幅器３０では、切替信号Ａ／Ｐによってスイッチ３５がオフ状態にされ、抵抗３３，３４で生成された基準のバイアス電圧がトランジスタ３１のゲートに印加される。これにより、送信信号Ｓ２０は、高周波電力増幅器３０において所定の増幅率で電力増幅され、アンテナ１１から送信される。
【００３１】
これに対して、ガソリンスタンド・システムに対する送信を行う場合、切替信号Ａ／Ｐをレベル“Ｌ”に設定する。そして、送信データＳＤＩ，ＳＤＱを使用してパケット状のデータを出力する。これにより、変調器２０からＱＰＳＫ変調された送信信号Ｓ２０が出力され、高周波電力増幅器３０に与えられる。高周波電力増幅器３０では、切替信号Ａ／Ｐによってスイッチ３５がオン状態にされ、抵抗３３，３４，３６で生成された基準よりも低いバイアス電圧がトランジスタ３１のゲートに印加される。これにより、送信信号Ｓ２０は、高周波電力増幅器３０において低い増幅率で電力増幅され、アンテナ１１から送信される。この結果、アンテナ１１から送信される高周波信号のレベルは、ＡＳＫ変調とＱＰＳＫ変調でほぼ同じレベルとなる。
【００３２】
一方、アンテナ１１で受信された高周波信号は、低雑音増幅器１３で増幅された後、周波数変換器１４で中間周波信号に変換され、帯域通過フィルタ１６を通って中間周波増幅器１７で増幅されて、ＰＳＫ復調器１８とＡＳＫ復調器１９に与えられる。
【００３３】
ＰＳＫ復調器１８では、中間周波信号ＩＦが復調されてＰＳＫ受信データＲＤＰが出力される。ＡＳＫ復調器１９では、積分回路１９ａによって中間周波信号ＩＦの平均レベルが検出されて基準電圧ＲＥＦが生成され、比較回路１９ｂによってこの基準電圧ＲＥＦと中間周波信号ＩＦの瞬時値が比較され、ＡＳＫ受信データＲＤＡが出力される。このとき、中間周波信号ＩＦの平均レベルは、ＡＳＫ変調とＱＰＳＫ変調でほぼ同じレベルとなっているので、積分回路１９ａから出力される基準電圧ＲＥＦは、この中間周波信号ＩＦの変調方式に拘らず一定値となる。
【００３４】
ベースバンド部では、無線機から出力されるＰＳＫ受信データＲＤＰとＡＳＫ受信データＲＤＡの内で、通信の目的に応じた受信データを選択して処理が行われる。
【００３５】
以上のように、本実施例の無線機は、切替信号Ａ／Ｐによって増幅率を制御することができる高周波電力増幅器３０を有しているので、変調器２０から与えられる送信信号Ｓ２０のレベルがＡＳＫ変調とＱＰＳＫ変調で異なっていても、ほぼ同レベルの高周波信号に増幅してアンテナ１１から送信することができる。これにより、ＱＰＳＫとＡＳＫの変調方式に拘らず、送信側から常に一定レベルのパケット信号を出力するが可能になり、受信側での受信誤りを防止することができるという利点がある。更に、受信した高周波信号の変調方式がＡＳＫ変調とＱＰＳＫ変調のうちのいずれかの変調方式であるかということに応じて高周波電力増幅器３０の増幅率が切り換えられ、受信した高周波信号の変調方式に応じて送信信号を出力するので、相互に良好な無線通信を実現することができる。
【００３６】
なお、本発明は、上記実施例に限定されず、種々の変形が可能である。この変形例としては、例えば、次のようなものがある。
（１）  ＩＴＳのＤＳＲＣ規格に対応してＡＳＫ変調とＱＰＳＫ変調を切り替える無線機を例に説明したが、複数の変調方式を切り替えて使用する無線機に対して、同様に適用することができる。
（２）  ３種類以上の変調方式に対応可能で、変調方式を切り替えると出力される送信信号のレベルが変化するような変調器を有する場合、高周波電力増幅器の増幅率をその変調方式に応じて切り替える必要がある。
【００３７】
図３は、図１中の高周波電力増幅器の変形例を示す構成図である。
この高周波電力増幅器は、図１中の高周波電力増幅器３０の構成要素に加えて、スイッチ３５ａ及び抵抗３６ａと、スイッチ３５ｂ及び抵抗３６ｂを抵抗３４に並列接続し、これらのスイッチ３５ａ，３５ｂを、切替信号Ａ／Ｐａ，Ａ／Ｐｂでオン／オフ制御するように構成したものである。これにより、変調方式を指定する切替信号Ａ／Ｐ，Ａ／Ｐａ，Ａ／Ｐｂによって増幅度が切り替えられ、高周波信号の出力レベルを、変調方式の如何に拘らず一定に保持することができる。
（３）  高周波電力増幅器３０では、トランジスタ３１のバイアス電圧を切り替えることによって増幅率を切り替えるようにしているが、増幅率の切り替えはこの方式に限定するものではない。例えば、高周波電力増幅器の入力側に可変減衰器を挿入しても良い。
【図面の簡単な説明】
【００３８】
【図１】本発明の実施例を示す無線機の構成図である。
【図２】従来の無線機の構成図である。
【図３】図１中の高周波電力増幅器の変形例を示す構成図である。
【符号の説明】
【００３９】
１１    アンテナ
１２    アンテナスイッチ
１３    低雑音増幅器
１４    周波数変換器
１５    局部発振器
１６    帯域通過フィルタ
１７    中間周波増幅器
１８    ＰＳＫ復調器
１９    ＡＳＫ復調器
２０    変調器
３０    高周波電力増幅器
【図１】
0004825532.tif 000002
【図２】
0004825532.tif 000003
【図３】
0004825532.tif 000004